(57)【特許請求の範囲】
【請求項１】
動力駆動形生け垣刈り込み機械であって、基部（１１）に取り付けられたエンジンハウジング（１０）を具備し、該基部（１１）は、一方の端部に切断工具（１２）と前部ハンドル（１３）とを有し、他方の端部にエンジンハウジング内の出力調整手段と連結されたガス制御部（１７）を備えた後部ハンドル（１４）を有し、該後部ハンドルは、異なる作動位置に調節されることができるように該基部に対して回転可能となっている、動力駆動形生け垣刈り込み機械において、上記後部ハンドルは、上記切断工具（１２）の長手方向軸線に対して角度をなして傾斜した軸線回りに回転可能となっており、かつ該後部ハンドルは、該後部ハンドルを少なくとも二つの予め定められた作動位置に掛止するための掛止装置（１９〜２４）を有し、
上記後部ハンドルが円筒状のチューブソケット（１６）を備え、該チューブソケットが、ブラケット（１５）内の相補状をなす開口部内で回転可能となっており、
上記掛止装置が、軸線方向に移動可能な掛止ピン（２２）を備え、該掛止ピンが、該開口部周りに分散配置された相補状をなす凹部（２４）内に係合するように適合されたことを特徴とする、動力駆動形生け垣刈り込み機械。
【請求項２】
上記後部ハンドル（１４）は、相互に９０°の角度を隔てられた三つの予め定められた作動位置に掛止可能をなっていることを特徴とする、請求項１に記載の動力駆動形生け垣刈り込み機械。
【請求項３】
上記後部ハンドル（１４）の回転軸線が、上記切断工具（１２）の長手方向軸線に対して２０°から３０°までの間の角度をなして傾斜していることを特徴とする、請求項１または２に記載の動力駆動形生け垣刈り込み機械。
【請求項４】
上記後部ハンドル（１４）の回転軸線が、上記切断工具（１２）の長手方向軸線に対して約２５°の角度をなして傾斜していることを特徴とする、請求項３に記載の動力駆動形生け垣刈り込み機械。
【請求項５】
上記掛止ピン（２２）が円錐状をなし、かつ該掛止ピン（２２）は半径方向に延びる縦方向尾根部（２３）を有し、該縦方向尾根部（２３）は、上記凹部（２４）内の相補状をなす溝（２５）と協働するように適合されたことを特徴とする、請求項１に記載の動力駆動形生け垣刈り込み機械。
【請求項６】
上記掛止ピンが掛止ハンドル（２１）に取り付けられ、上記ガス制御部が回転可能な爪（１９）に連結され、該ガス制御部が作動されているときに上記掛止装置が解放されることを防止すると共に上記後部ハンドルを回転させるために該掛止装置が解放されているときに該ガス制御部（１７）が作動されることを防止するように該掛止ハンドルが該爪と協働することを特徴とする、請求項１から５までのいずれか一項に記載の動力駆動形生け垣刈り込み機械。
【発明の詳細な説明】
【０００１】
【発明の属する技術分野】
本発明は、動力駆動形生け垣刈り込み機械であって、基部に取り付けられたエンジンハウジングを具備し、基部は、一方の端部に切断工具と前部ハンドルとを有し、他方の端部にガス制御部を備えた後部ハンドルを有し、後部ハンドルは、異なる作動位置に調節されることができるように基部に対して回転可能となっている、動力駆動形生け垣刈り込み機械に関する。
【０００２】
【従来の技術および発明が解決しようとする課題】
一般的に生け垣などの垂直面と水平面とを含む種々の作動位置で生け垣刈り込み機械が好便に使用されることを可能にするためには、後部ハンドルが種々の角度位置間で容易に調節されることができることが必要である。この後部ハンドルの調節は安全な仕方で成されなければならず、従って後部ハンドルの調節は、切断工具が作動していないときにのみ可能であるようにしなければならない。更に、後部ハンドルが調節された位置に安全に掛止されて、後部ハンドルの意図しない回転を防止するようにすることが必要である。
【０００３】
【課題を解決するための手段】
本発明の目的は、上述の要求を満たすような生け垣刈り込み機械を提供することにある。この目的を達成するために本発明によれば、上述の種類の生け垣刈り込み機械であって、後部ハンドルは、切断工具の長手方向軸線に対して角度をなして傾斜した軸線回りに回転可能となっており、かつ後部ハンドルは、後部ハンドルを少なくとも二つの予め定められた作動位置に掛止するための掛止装置を有することを特徴とする、動力駆動形生け垣刈り込み機械が提供される。
【０００４】
【発明の実施の形態】
以下、添付図面を参照しながら本発明をより詳細に説明する。
図１および図２に示される生け垣刈り込み機械は、基部１１に取り付けられたエンジンハウジング１０を具備する。基部１１は、一方の端部に切断工具１２と前部ハンドル１３とを有し、他方の端部に後部ハンドル１４を有する。後部ハンドル１４は、基部１１に取り付けられたブラケット１５内に回転可能に支承される。図１では、後部ハンドル１４は、水平面を刈り込むための位置で示されている。図２では、後部ハンドル１４は、垂直面を刈り込むための位置まで９０°調節されている。
【０００５】
図２から最も良く判るように、後部ハンドル１４は、切断工具１２の長手方向軸線に対して約２５°の角度だけ傾斜した軸線回りに回転可能となっている。このことは、刈り込まれるべき表面と後部ハンドル１４との間に空間が設けられるということを意味し、これにより後部ハンドル１４を保持する手と植物との間で係合が生じることなく、垂直な生け垣表面を刈り込むことが可能ならしめられる。
【０００６】
図３から図５に示される後部ハンドル１４は円筒状のチューブソケット１６を備え、このチューブソケット１６は、ブラケット１５内の相補状をなす開口部内に回転可能に支承される。後部ハンドル１４には更に、ガス制御部１７が設けられ、このガス制御部１７は、制御ケーブル１８を介してエンジンハウジング１０内のキャブレタ（図示しない）に連結される。制御ケーブル１８は角度爪１９に連結され、この角度爪１９は、後部ハンドル１４の底部においてピン２０回りに回転可能となっている。
【０００７】
図６および図７に最も良く示されている掛止ハンドル２１は、チューブソケット１６に対して平行に軸線方向に摺動可能となっている。掛止ハンドル２１には、縦方向尾根部２３を有する円錐状掛止ピン２２が設けられ、この縦方向尾根部２３はチューブソケット１６及びブラケット１５内の相補状をなす凹部内に係合する。このような三つの凹部２４が図８に示されており、これら三つの凹部２４は、ブラケット１５の開口部周りで相互に９０°の間隔を隔てられている。掛止ハンドル２１は、掛止ピン２２を凹部２４のいずれかに係合させるように弾性的に作動され、これにより後部ハンドル１４が三つの異なる角度位置に調節されることが可能ならしめられる。これにより後部ハンドル１４は、実際の作業表面の方向に応じた三つの異なる作動位置間で調節可能となっている。縦方向尾根部２３がブラケット１５内の相補状をなす溝２５内に係合することにより、調節された位置内での後部ハンドル１４の安全な掛止作用が得られる。これにより、後部ハンドル１４の意図しない回転が防止される。
【０００８】
図３では、後部ハンドル１４は、ガス制御部１７が作動されない標準位置で示されている。図３に示す標準位置では、掛止ハンドル２１は、後部ハンドル１４の角度位置を調節することができるように移動可能となっている。図４では、ガス制御部１７が、生け垣刈り込み機械の作動位置に対応した作動位置にあり、かつ角度爪１９が、ガス制御部１７の移動に対応してピン２０回りに所定の角度だけ回転されている。この図４に示す位置では、突出部２６が角度爪１９の前方端部と係合することにより、掛止ハンドル２１の移動が防止される。これにより、作動中に後部ハンドル１４が調節されてしまうことが効果的に防止される。
【０００９】
図５では、後部ハンドル１４は、掛止ハンドル２１が引き出された位置で示されている。このように掛止ハンドル２１が引き出されていることにより、円錐状の掛止ピン２２がブラケット１５の凹部２４との係合から解放されている。その結果、後部ハンドル１４は、新たな角度位置に調節されるように回転されることができる。この図５に示す位置では、掛止ハンドル２１の突出部２６が角度爪１９と係合して、ガス制御部１７を非作動位置に掛止するようにする。これによりガス制御部１７の作動が防止され、斯くして後部ハンドル１４の調節中に切断工具１２が非作動状態に維持されることが確保される。
【００１０】
相互に作用する掛止装置のお蔭で、ガス制御部１７と掛止ハンドル２１とが同時に作動することが防止される。その結果、作動中に後部ハンドル１４が調節されることができず、かつ後部ハンドル１４の調節中にガス制御部１７が作動されることができない。この結果、生け垣刈り込み機械の作動中における安全性が大幅に改善されるということが判る。
【図面の簡単な説明】
【図１】本発明による生け垣刈り込み機械の平面図である。
【図２】図１に示す生け垣刈り込み機械の側面図である。
【図３】第１の位置にある後部ハンドルの拡大縦断面図である。
【図４】第２の位置にある後部ハンドルの拡大縦断面図である。
【図５】第３の位置にある後部ハンドルの拡大縦断面図である。
【図６】後部ハンドルに固有の掛止手段の側面図である。
【図７】図６に示す掛止手段の前面図である。
【図８】後部ハンドル用のブラケットの端面図である。
【符号の説明】
１０…エンジンハウジング
１１…基部
１２…切断工具
１３…前部ハンドル
１４…後部ハンドル
１５…ブラケット
１６…チューブソケット
１７…ガス制御部
１８…制御ケーブル
１９…角度爪
２１…掛止ハンドル
２２…掛止ピン
２３…縦方向尾根部
２４…凹部
２５…溝
２６…突出部
【図１】
0003970962.tif 000002
【図２】
0003970962.tif 000003
【図３】
0003970962.tif 000004
【図４】
0003970962.tif 000005
【図５】
0003970962.tif 000006
【図６】
0003970962.tif 000007
【図７】
0003970962.tif 000008
【図８】
0003970962.tif 000009